(57)【要約】      （修正有）【課題】  自律移動ロボットにおいて、加速度の大きい機敏な動作を実現する。【解決手段】  自律移動ロボット１は、筐体に設けられ周囲の物体を検出する障害物検知センサ６５と、筐体の傾き角度を検出する傾斜角度測定手段８とを備える。傾斜角度測定手段の測定角度に従って、障害物検知センサは検出範囲ＲＳを変更する。また、障害物検知センサを自律移動ロボットの傾斜方向に角度を変えて複数設け、傾斜角度測定手段が測定した角度に応じて、複数の障害物検知センサの信号を選択する方法も有効である。【選択図】  図５
2006247803.tif 000002
【特許請求の範囲】
【請求項１】
筐体の重心を傾けることにより移動を制御する自律移動ロボットにおいて、前記筐体に設けられ周囲の物体を検出する障害物検知センサと、前記筐体の傾き角度を検出する傾斜角度測定手段とを備え、前記傾斜角度測定手段の測定角度に従って、検出範囲を変更する障害物検知センサを有することを特徴とする自律移動ロボット。
【請求項２】
筐体の重心を傾けることにより移動を制御する自律移動ロボットにおいて、前記筐体に設けられ周囲の物体を検出する障害物検知センサと、前記筐体の傾き角度を検出する傾斜角度測定手段とを備え、前記障害物検知センサは前記自律移動ロボットの傾斜方向に角度を変えて複数設けられ、前記傾斜角度測定手段の測定角度に従って、複数の前記障害物検知センサを選択することを特徴とする自律移動ロボット。
【発明の詳細な説明】
【技術分野】
【０００１】
本発明は、移動ロボットや自律走行自動車などの自律移動ロボットに関する。
【背景技術】
【０００２】
周囲の物体をセンサで検出して、自律移動装置の移動を停止する例が特許文献１に記載されている。この公報には、障害物認識装置、障害物認識方法及び障害物認識プログラム並びに移動型ロボット装置が開示されている。そして、複数の撮像手段から得られた画像の視差情報より、障害物の位置や形状を認識している。
【０００３】
【特許文献１】特開2003-269937号公報
【発明の開示】
【発明が解決しようとする課題】
【０００４】
周囲の物体を検出するセンサを備える自律移動装置は、センサを設置する筐体が地平面に対して傾斜しない構成がほとんどである。しかしながら、加速度の大きい機敏な動作を実現するために、筐体を傾けて重心を移動する自律移動装置が考えられる。このとき、センサが地平面を検出し、周囲の物体の検出が正常になされないことがあった。
【０００５】
本発明は上記従来技術の不具合に間がみなされたものであり、その目的は自律移動ロボットが、加速度の大きい機敏な動作を実現することにある。また、筐体を傾けて重心を移動する自律移動ロボットが、周囲の物体を、常に正常に検出することにある。
【課題を解決するための手段】
【０００６】
上記目的を達成するために、筐体の重心を傾けることにより移動を制御する自律移動ロボットにおいて、前記筐体に設けられ周囲の物体を検出する障害物検知センサと、前記筐体の傾き角度を検出する傾斜角度測定手段とを備え、前記傾斜角度測定手段の測定角度に従って、検出範囲を変更する障害物検知センサを有することで解決できる。
【０００７】
また、前記障害物検知センサは前記自律移動ロボットの傾斜方向に角度を変えて複数設けられ、前記傾斜角度測定手段の測定角度に従って、複数の前記障害物検知センサを選択することで解決できる。
【発明の効果】
【０００８】
本発明によれば、障害物検出センサ６５を設置した部位を含めて傾斜させ、機敏な動作を実現する自律移動ロボット１において、胴体部４に設けたジャイロ８の出力により、障害物検出センサ６５の検出範囲を変更することによって、障害物を正確に検出できる。
【発明を実施するための最良の形態】
【０００９】
以下に、本発明に係る自律移動ロボットの実施例を、図面を用いて説明する。図１および図２に、自律移動ロボット１の正面図図および側面図を示す。本実施例では、自律移動ロボット１は、ヒューマノイド型ロボットである。
【００１０】
構成要素として、頭部２と、首部３と、胴体部４と、腕部５と、走行部６とがある。それらの構成要素は、モータ等のアクチュエータやエンコーダ等のセンサを含み、コントローラ７の制御指令に従って動作する。この自律移動ロボット１の特徴は、その重心が２つの車輪より高いところにある倒立振子の構造を採用していることである。静的な不安定さを利用して、機敏な動作を実現する。そのために、少なくとも胴体部４と走行部６は、車輪の移動方向に一体で傾斜し、胴体部４は傾斜角度を計測するジャイロ８を備える。ジャイロ８の信号はコントローラ７へ入力され、走行部６を制御する。すなわち、自律移動ロボット１が前方（図中で左）へ傾斜したとき、走行部６を前方へ進行するように駆動する。逆に、自律移動ロボット１が後方（図中で右）へ傾斜したとき、走行部６を後方へ進行するように駆動する。図３に釣り合いの状態を示す。自律移動ロボット１が角度θ傾斜したとき、重心Ｇにｍｇ×ｓｉｎθの力が発生する。それと釣り合うため、走行部６は駆動力Ｆを発生させる。
【００１１】
Ｆ＝ｍｇ×ｓｉｎθ×ｓ÷ｔ              （式１）
このように、傾斜角θに従って駆動力Ｆを制御することにより、倒立を制御する。ここで、地平面Ｅ近傍の障害物を検出するため、地平面に近接した走行部６に障害物検出センサを設けた。図４に走行部６の構造を示す。
【００１２】
車輪６１は、カバー６３に覆われて図示しないモータにより、車軸６２を介して駆動される。カバー６３にはセンサ透過窓６４が設けてある。さらに、障害物検出センサ６５は図５のように、カバー６３の中に設けられる。
【００１３】
図５において、障害物検出センサ６５は、所定の距離で角度Ｒの範囲にある物体を検出するセンサである。ここで、自律移動ロボット１が傾斜すると角度Ｒの範囲に地平面Ｅが進入して検出してしまう。これを回避するため、検出範囲Ｒｓと非検出範囲Ｒｎとを設け、ジャイロ８からの傾斜角度出力にしたがって、ＲｓとＲｎの範囲を変更する。
【００１４】
より具体的には、障害物検出センサ６５の例として、レーザ等に角度Ｒの範囲をスキャンして、ある角度での反射光の位相により、物体を検出するものがある。このようなセンサを用いた場合、非検出範囲Ｒｎで検出された物体は地平面Ｅであると判断して、除外する。
【００１５】
また他の障害物検出センサ６５の例として、レーザ等を角度Ｒの範囲に同時に放射し、反射光の量Ｖで物体を検出するものがある。以下の条件では、地平面Ｅからの反射と判断して、除外する。
【００１６】
Ｖ＜Ｒｎ÷（Ｒｓ＋Ｒｎ）              （式２）
さらに、図６に示すように、１点における物体の有無を検出するセンサを複数設ける方法もある。ここでは、略水平方向の物体を検出する障害物検出センサ６５ｄと、斜め上方の物体を検出する障害物検出センサ６５ｕとを示している。自律移動ロボット１がほぼ直立状態の角度にあるときは、略水平方向の物体を検出する障害物検出センサ６５ｄにより、障害物の有無を判断する。
【００１７】
ジャイロ８の出力により、所定の角度θを超えて自律移動ロボット１が傾斜したとき、略水平方向の物体を検出する障害物検出センサ６５ｄは、地平面Ｅを検出すると判断して、斜め上方の物体を検出する障害物検出センサ６５ｕによって障害物の有無を判断する。
【００１８】
このように、障害物検出センサ６５を設置した部位を傾斜させて、動作の機敏さを実現する自律移動ロボット１において、ジャイロ８の出力により、障害物検出センサ６５の検出範囲を変更することによって、正しい障害物の検出が可能になる。
【図面の簡単な説明】
【００１９】
【図１】本発明に係る自律移動ロボットの正面図。
【図２】図１に示した自律移動ロボットの側面図。
【図３】自律移動ロボットの動作を説明する図。
【図４】図１に示した自律移動ロボットの走行部の正面図。
【図５】図１に示した自律移動ロボットが備える障害物検出センサの説明図。
【図６】図１に示した自律移動ロボットが備える障害物検出センサの説明図。
【符号の説明】
【００２０】
１…自律移動ロボット、２…頭部、３…首部、４…胴体部、５…腕部、６…走行部、７…コントローラ、６１…車輪、６２…車軸、６３…カバー、６４…センサ透過窓、６５…障害物検出センサ。
【図１】
2006247803.tif 000003
【図２】
2006247803.tif 000004
【図３】
2006247803.tif 000005
【図４】
2006247803.tif 000006
【図５】
2006247803.tif 000007
【図６】
2006247803.tif 000008